(57)【要約】【課題】遊技球の球零れを防止すると共に、前覆枠体の開放時における球噛みも防止するようにした遊技機を提供する。【解決手段】球受皿８に本体枠２の後側へ突出する受皿部１６を延設し、球排出樋２９における下流端部の底面に受皿部１６の上面に臨む排出口３１を形成し、排出口３１と受皿部１６上面との間に、常に一側へ付勢され前覆枠体７が閉塞したとき受皿部１６に押されて排出口３１を開放し前覆枠体７が開放したとき付勢により排出口３１を塞ぐシャッター板４４を配置し、排出口３１におけるシャッター板４４の摺動方向の幅を遊技球の直径寸法とし、該球排出樋２９の下流端部であってシャッター板４４が前進するときその先端と対向する位置に遊技球をシャッター板４４によりその外側へ押し出すための切欠凹部４７を開設し、切欠凹部４７外側の受皿部１６に遊技球の退避スペース４８を設けた。【選択図】図８
2010017333.tif 000002
【特許請求の範囲】
【請求項１】
機枠に装着される本体枠の前面に前覆枠体を開閉自在に軸着し、前記前覆枠体の前面には球払出装置から球排出樋に誘導されて払い出された遊技球が貯留される球受皿を装着してなる遊技機であって、
前記球受皿に上面が解放しかつ前記前覆枠体を閉塞したとき前記本体枠の後側へ突出する受皿部を延設し、前記球排出樋における下流端部の底面に前記前覆枠体が閉塞したとき前記受皿部の上面に臨む排出口を形成し、
前記球排出樋の排出口と前記受皿部上面との間に、その間で水平に摺動すると共に弾性部材により常に一側へ付勢され前記前覆枠体が閉塞したとき前記受皿部に押されることにより後退して前記排出口を開放し前記前覆枠体が開放したとき前記弾性部材の付勢により前進して前記排出口を塞ぐシャッター板を配置し、
前記球排出樋の排出口における前記シャッター板が摺動する方向での幅を遊技球の直径寸法にすると共に該球排出樋の下流端部であって前記シャッター板が前進するときその先端と対向する位置に前記排出口と連通し前記受皿部と前記球排出樋の下流端部との間に位置する遊技球を前記前進するシャッター板によりその外側へ押し出すための切欠凹部を開設し、
前記受皿部における前記切欠凹部の外側に該切欠凹部から押し出された遊技球が留まる所定広さの退避スペースを設けたことを特徴とする遊技機。
【発明の詳細な説明】
【技術分野】
【０００１】
本発明は、球払出装置から払い出される遊技球を前面に装着される球受皿に導くようにした遊技機に関するものである。
【背景技術】
【０００２】
従来、遊技機の一種であるパチンコ遊技機に、機枠の前面に遊技盤を配設した本体枠を装着すると共に該本体枠の前面に遊技盤の前面を覆う前覆枠体としての透明板保持枠を開閉自在に軸着し、該透明板保持枠の下方に前記遊技盤の下部を覆う同じく前覆枠体としての前板を開閉自在に軸着している。前記前板の前面には打球発射位置に供給する遊技球を貯留する球受皿が装着される。また、本体枠の裏側に機構板が装着され、該機構板の裏側に、球タンクと共に該球タンクから供給される所定量の遊技球を、例えば入賞球が発生したときや貸し球払出の要求があったとき、払い出す球払出装置が配設される。該球払出装置の下方には、該球払出装置から払い出された遊技球を前記前板前面の球受皿に導く球排出樋が設けられている。該球排出樋における流下端の排出口は前方を向いている。そして、前板が本体枠の前面に閉塞されたとき、該排出口が前板を介して球受皿と連通するようになっている。
【０００３】
更に、例えば、球受皿から球排出樋内まで連続して遊技球が留まっている状態で故障の点検のため前板を開いたとき、球排出樋内に残っている遊技球がその下端の排出口から下方へ零れ落ちてしまうのを防ぐため、本体枠の前面にシャッター機構が設けられている。更に詳しく説明すると、該シャッター機構は前板が閉塞された状態では前記排出口を開放し前板が開放された状態では排出口を閉塞するシャッター板を有する（例えば、特許文献１参照。）。
【０００４】
【特許文献１】特許３９３８６９２号公報（第６−９頁、図１乃至図８）
【発明の開示】
【発明が解決しようとする課題】
【０００５】
しかしながら、前記特許文献１に係るパチンコ遊技機では、球排出樋内にまで遊技球が留まっていることを知らずに前板を開いた場合、球排出樋の排出口をシャッター板で塞ぎ、該排出口から無用に遊技球が零れ落ちないようにしているが、排出口が大きいこともあって、前板を開放したとき瞬時に排出口を閉塞することは難しい。このため、実際に前板を開放したとき排出口から数個の遊技球が零れ落ちてしまうのが現状である。
【０００６】
そこで、本発明は上記課題を解決すべくなされたもので、遊技球の球零れを防止すると共に、前覆枠体の開放時における球噛みも防止するようにした遊技機を提供することを目的とするものである。
【課題を解決するための手段】
【０００７】
かかる目的を達成するため本発明の遊技機は、機枠に装着される本体枠の前面に前覆枠体を開閉自在に軸着し、前記前覆枠体の前面には球払出装置から球排出樋に誘導されて払い出された遊技球が貯留される球受皿を装着してなる遊技機であって、前記球受皿に上面が解放しかつ前記前覆枠体を閉塞したとき前記本体枠の後側へ突出する受皿部を延設し、前記球排出樋における下流端部の底面に前記前覆枠体が閉塞したとき前記受皿部の上面に臨む排出口を形成し、前記球排出樋の排出口と前記受皿部上面との間に、その間で水平に摺動すると共に弾性部材により常に一側へ付勢され前記前覆枠体が閉塞したとき前記受皿部に押されることにより後退して前記排出口を開放し前記前覆枠体が開放したとき前記弾性部材の付勢により前進して前記排出口を塞ぐシャッター板を配置し、前記球排出樋の排出口における前記シャッター板が摺動する方向での幅を遊技球の直径寸法にすると共に該球排出樋の下流端部であって前記シャッター板が前進するときその先端と対向する位置に前記排出口と連通し前記受皿部と前記球排出樋の下流端部との間に位置する遊技球を前記前進するシャッター板によりその外側へ押し出すための切欠凹部を開設し、前記受皿部における前記切欠凹部の外側に該切欠凹部から押し出された遊技球が留まる所定広さの退避スペースを設けたことを特徴とする。
【発明の効果】
【０００８】
本発明に係る遊技機は、球受皿に上面が解放しかつ前覆枠体を閉塞したとき本体枠の後側へ突出する受皿部を延設し、球排出樋における下流端部の底面に前覆枠体が閉塞したとき受皿部の上面に臨む排出口を形成し、前記球排出樋の排出口と受皿部上面との間に、水平に摺動すると共に弾性部材により常に一側へ付勢され前覆枠体が閉塞したとき受皿部に押されることにより後退して排出口を開放し前覆枠体が開放したとき弾性部材の付勢により前進して排出口を塞ぐシャッター板を配置し、球排出樋の排出口における前記シャッター板が摺動する方向での幅を遊技球の直径寸法にすると共に該球排出樋の下流端部であってシャッター板が前進するときその先端と対向する位置に前記排出口と連通し遊技球を前進するシャッター板によりその外側へ押し出す切欠凹部を開設し、受皿部における切欠凹部の外側に該切欠凹部から押し出された遊技球が留まる所定広さの退避スペースを設けている。そこで、前覆枠体が開放するとき、球排出樋における下流端部の排出口から受皿部が遠ざかるに伴いシャッター板が前記排出口を閉塞し、しかも、球排出樋内に遊技球が留まった状態で前覆枠体を開いても、シャッター板に押される遊技球は切欠凹部を介してその外側へ押し出され、その外側に位置する退避スペースに受け止められることになる。
【０００９】
よって、シャッター板の摺動ストロークが必要最小限の寸法に設定できるため、排出口から球零れが起きないばかりか球噛みも全く起こらず、また、球排出樋や球受皿が破損するといったこともなく、前覆枠体の開閉が安心して行なえる。更に、切欠凹部から押し出された遊技球はそのまま受皿部内に残り遊技機の下方へ落下することがないから、遊技者に不利益を与えるようなことも無いという有益な効果を奏する。
【発明を実施するための最良の形態】
【００１０】
以下、本発明に係る遊技機の実施の形態を図面に基づき詳しく説明する。本発明は、パチンコ遊技機、アレンジボール機、雀球機、パチスロ機等であって遊技媒体として遊技球を使用する遊技機に適用されるが、この内、本発明はパチンコ遊技機に適用される場合について説明する。
【００１１】
図１は本発明に係るパチンコ遊技機の正面図、図２は同透明板保持枠及び前板を開いた状態の斜視図、図３は同背面図である。該パチンコ遊技機Ｐは縦長長方形状の機枠１を有し、該機枠１の前側に本体枠２が装着され、該本体枠２に遊技盤３が配設されている。また、本体枠２の前面に、前記遊技盤３の上部前面を覆いかつ該遊技盤３の前面が前側から見られるように透明板４で覆った透窓５を有する前覆枠体としての透明板保持枠６が開閉自在に装着されている。該透明板保持枠６の下方に、遊技盤３の下部前面を覆う同じく前覆枠体としての前板７が開閉自在に装着される。該前板７の前面に、後記する打球発射位置２０に供給される遊技球を貯留するための球受皿８が装着されている。該球受皿８の一側には、前記打球発射位置２０に供給される遊技球の打球力を調整する打球力調整ハンドル９が取着される。
【００１２】
ここで、前覆枠体として、透明板保持枠６及び前板７を示したが、他に該透明板保持枠と前板とが一体になったものであって、しかも、その前面に球払出装置から排出された遊技球を貯留する球受皿が装着されたものでも良い。また、前板の代わりに球受皿そのものを装着するようにしたものも見受けられるが、このような場合、この球受皿が前覆枠体となる。
【００１３】
遊技盤３面に、内側・外側のガイドレール１０ａ，１０ｂが略渦巻き状に敷設され、該内側・外側のガイドレール１０ａ，１０ｂにより囲われるようにして遊技部３ａが形成される。該遊技部３ａには、その上半部の一側に寄せて大型の変動表示装置１１が配置されている。また、その下方に一対の開閉翼片１２，１２を有する始動入賞口１３が配置され、更に、その下方に前側へ自在に開閉する開閉扉１４ａを有する大型の入賞装置１４が配置される。遊技部３ａ下端部の内側ガイドレール１０ａの内側に、遊技部３ａに打ち込まれて流下するも入賞し得なかった遊技球をアウト球としてパチンコ遊技機Ｐの外側へ排出するアウト球口１５が設けられている。
【００１４】
前記前板７前面の球受皿８には遊技球を貯留する球貯留部８ａが設けられ、その一側の後端縁に後方へほぼ水平に突出する受皿部１６が一体に設けられている。該受皿部１６は、上面が開放すると共に前板７を閉塞したとき本体枠２の後側へ突出するようになっている。また、前板７の後面には、その中央に後記する発射レール１９の打球発射位置２０に遊技球を一個ずつ供給する打球供給装置１７が設けられると共にその一側に遊技部３ａに打ち込まれずに戻ってきたファール球を受け入れ処理する球受け樋部材１８が配置される。
【００１５】
前板７と対応位置する本体枠２の下部前面に、前記打球供給装置１７と対応位置して発射レール１９が取着され、先端側が外側のガイドレール１０ｂに連なるように上方に傾斜し、その基端側に該発射レール１９の基端の打球発射位置２０に供給される遊技球を打球する電磁ソレノイド２１が装着される。発射レール１９の他側であって本体枠２の側部に、前記球受皿８の後端縁から後側へ延設された受皿部１６が挿通される通孔２２が開設されている。
【００１６】
前記本体枠２の裏面上部には、遊技球を貯留するための球タンク２５が設けられ、その下方に該球タンク２５から排出される遊技球を下流へ導くタンクレール２６が設けられ、該タンクレール２６の下流端にカーブレール２７を介して球払出装置２８が配置される。該球払出装置２８の下方に、該球払出装置２８から排出された遊技球を前記球受皿８に誘導する球排出樋２９が配設されている。該球排出樋２９の下流端部には、鉛直状の縦樋部３０が連続して形成されている。そして、前記前板７を閉めたとき、該縦樋部３０下端の排出口３１が前記受皿部１６の上方に臨むようになっている。
【００１７】
そこで、球受皿８の球貯留部８ａに貯留される遊技球は、打球供給装置１７から発射レール１９の打球発射位置に２０へ一個ずつ供給され、それぞれ電磁ソレノイド２１により発射される。発射された遊技球は、内側・外側のガイドレール１０ａ，１０ｂ間に形成された球誘導通路３２に誘導されその上端から遊技部３ａに放出される。
【００１８】
遊技部３ａに放出された遊技球が始動入賞口１３に入賞すると、変動表示装置１１のディスプレイ１１ａに表示される数字、記号等の図柄が変動を開始し、一定時間経過後に停止する。このとき、停止した図柄が例えば「７７７」といった特定の図柄に揃うと、所謂「大当り」という遊技者に有利な特別遊技状態になる。この状態になると、大型の入賞装置１４の開閉扉１４ａが前方へ回動し、例えば、遊技球が１０個入賞するまで、または３０秒間の間開く。更に、これを１ラウンドとして一定の条件が継続される限り最大限１６ラウンドまで繰り返される。入賞球が発生すると、機構板２３の後側に設けられた球払出装置２８からその一個に付き所定量の遊技球が球排出樋２９に排出される。排出された遊技球はその流下端部の縦樋部３０から受皿部１６に落下し、前板７前面の球受皿８に貯留されることになる。
【００１９】
本発明にあっては、図４乃至図６に示すように本体枠２の裏側であって前記受皿部１６の上方にシャッター機構３３が配置される。このシャッター機構３３は、球排出樋２９内に遊技球が留まっている状態で不用意に前板７を開放した場合に、球排出樋２９の縦樋部３０下端の排出口３１から遊技球が下方へ零れ落ちるのを防止するものである。仮に、遊技球が零れ落ちると、遊技者がせっかく獲得した遊技球を失うことになり、遊技者に損失を与えることになるからである。
【００２０】
前記シャッター機構３３は次のような構成からなる。すなわち、本体枠２の裏面に水平且つ平行に配置される一対のガイドバー３４，３４に支持され、かつ、該一対のガイドバー３４，３４に沿って左右に摺動する保持板３５が設けられる。該保持板３５は、断面が略コ字型に形成されると共にその長手方向に沿った中央に横長孔３６が開設される。本体枠２の裏面に該横長孔３６に遊嵌され後方へ突出する二本のボス３７，３７が設けられ、該各ボス３７の後端に螺子孔３８が開設されている。
【００２１】
そして、該各ボス３７，３７の後端に横長孔３６の溝幅よりも広幅の支持片３９を宛がい、該支持片３９に設けられた螺子挿通孔４０，４０を各ボス３７の螺子孔３８に合致させる。更に、該各螺子挿通孔４０を介して各螺子孔３８に螺子４１を螺締することにより保持板３５の上下の両屈曲片３５ａ，３５ａが両ガイドバー３４，３４に支持され、保持板３５が両ガイドバー３４，３４に沿って摺動することになる。また、保持板３５の一側と同側の本体枠２の裏面に突設される支持杆４２との間に圧縮コイルバネ４３が介装され、保持板３５が圧縮コイルバネ４３側へ常に付勢されるようになっている。保持板３５の後面には、前記縦樋部３０下端の排出口３１を開閉する水平なシャッター板４４が一体に設けられる。該シャッター板４４の摺動方向における一側に上方へ突出する停止片４５が突設され、シャッター板４４の下面には停止筒４６が一体に設けられている。
【００２２】
そして、圧縮コイルバネ４３の付勢により保持板３５が一側へ摺動したときは、停止片４５が縦樋部３０の外側面に当接して停止し、シャッター板４４により排出口３１を塞ぎ、縦樋部３０及び球排出樋２９内に留まる遊技球が零れないようになっている。また、圧縮コイルバネ４３の付勢に抗して保持板３５が他側へ摺動したときは、停止片４５が縦樋部３０の外側面から離れてシャッター板４４が移動し、排出口３１を開く。これにより、縦樋部３０を初め球排出樋２９内に留まっていた遊技球が、受皿部１６引いては球受皿８の球貯留部８ａに排出されることになる。
【００２３】
また、前記球排出樋２９の下流端部である縦樋部３０において、前記シャッター板４４が前進するときその先端と対向する位置に前記排出口３１と連通し前記受皿部１６と縦樋部３０との間に位置する遊技球が通過し得る切欠凹部４７が開設されている。受皿部１６の上面から切欠凹部４７の上端までの距離が遊技球の直径寸法（１１ｍｍ）以上に形成され、シャッター板４４の上面から切欠凹部４７の上端までの距離は遊技球の直径寸法未満に設定されている。これは、前板７を開放するとき、受皿部１６の上面と縦樋部３０下端の排出口３１との間に位置する遊技球によって球噛みが起きないように外側へ逃すためであって、前記寸法内で適宜設定すれば良い。
【００２４】
更に、球排出樋２９における縦樋部３０の切欠凹部４７の外側には、受皿部１６内に該切欠凹部４７から零れた遊技球が受け止められる退避スペース４８が形成されている。これは、切欠凹部４７から零れ出た遊技球が誤って受皿部１６を乗り越えパチンコ遊技機Ｐの外側へ落下しないようにするためである。この遊技球も、前記したように賞球であって遊技者が獲得したものであるから、落下して紛失させることは遊技者に不利益を与えることになるからである。
【００２５】
本発明に係るパチンコ遊技機Ｐは上記構成からなり、図７、図８に基づき作用を説明する。前板７が本体枠２の前面に閉塞されている状態では、図７（イ）、図８（イ）に示すように球受皿８の受皿部１６が本体枠２の裏側へ突出しており、縦樋部３０下端の排出口３１がその上方に臨んでいる。この場合、シャッター機構３３におけるシャッター板４４下面の停止筒４６が受皿部１６の外側面に押されて移動し、縦樋部３０下端の排出口３１が開放している。このとき、球払出装置２８から払い出された遊技球は、球排出樋２９に誘導され縦樋部３０を介して受皿部１６に排出される。
【００２６】
そこで、例えば、発射レール１９でトラブルが発生し、その点検をすべく前板７を開くと、初めは図７（ロ）、図８（ロ）に示すように前板７と共に受皿部１６が所定方向へ回動するのに伴い、該受皿部１６の外側面に接触していた停止筒４６も接触したまま同じく図８（ロ）の矢視方向へ移動し、シャッター板４４が徐々に排出口３１を塞ぐようになる。この場合、丁度、縦樋部３０と受皿部１６との間に遊技球Ｂ１があると、本来、該遊技球Ｂ１はシャッター板４４の前端縁４４ａと該前端縁４４ａと対向する縦樋部３０の側壁３０ａとの間で挟まれて球噛みを起こし、受皿部１６又は縦樋部３０が破損する危険性がある。ところが、前記遊技球Ｂ１がシャッター板４４の前端縁４４ａにより一方へ押されても、その方向の縦樋部３０には切欠凹部４７が開設されているので、該遊技球Ｂ１はシャッター板４４が排出口３１を閉塞すると共に図８（ロ）矢印に示すように切欠凹部４７を介して縦樋部３０の外側へ押し出される。押し出された遊技球Ｂ１は退避スペース４８に受け止められる。
【００２７】
そして、前板７が更に開き、図７（ハ）、図８（ハ）に示すように受皿部１６が縦樋部３０から離れる前に、停止片４５が縦樋部３０の外側面に当接して該縦樋部３０下端の排出口３１がシャッター板４４により完全に閉塞される。よって、図７（ロ）、図８（ロ）及び図７（ハ）、図８（ハ）に示される受皿部１６やシャッター機構３３の動作の中で、縦樋部３０から遊技球が零れ落ちることはない。
【００２８】
このように、本発明は、球受皿８に上面が解放しかつ前板７を閉塞したとき本体枠２の後側へ突出する受皿部１６を延設し、球排出樋２９の下流端部に前板７が閉塞したとき下端の排出口３１が受皿部１６の上方に臨む一条の縦樋部３０を形成している。また、縦樋部３０下端の排出口３１と受皿部１６上面との間に、その間で水平に摺動すると共に弾性部材４３により常に一側へ付勢され前板７が閉塞したとき受皿部１６に押されることにより後退して排出口３１を開放し前板７が開放したとき圧縮コイルバネ４３の付勢により前進して排出口３１を塞ぐシャッター板４４を配置している。更に、球排出樋２９の排出口３１におけるシャッター板４４が摺動する方向での幅を遊技球の直径寸法にすると共に縦樋部３０の下端縁であってシャッター板４４が前進するときその先端と対向する位置に受皿部１６と縦樋部３０との間に位置する遊技球Ｂ１を前進するシャッター板４４によりその外側へ押し出すための切欠凹部４７を開設し、受皿部１６における切欠凹部４７の外側に該切欠凹部４７から押し出された遊技球Ｂ１が留まる所定広さの退避スペース４８を設けている。
【００２９】
そこで、前板７を開放するとき、縦樋部３０下端の排出口３１から受皿部１６が遠ざかるに伴いシャッター板４４が前記排出口３１を閉塞する。しかも、球排出樋２９内に遊技球が留まった状態で前板７を開いても、シャッター板４４に押される遊技球Ｂ１は切欠凹部４７を介してその外側へ押し出され、その外側に位置する退避スペース４８に受け止められることになる。よって、シャッター板４４の摺動ストロークが必要最小限の寸法に設定できるため、排出口３１から球零れが起きないばかりか球噛みも全く起こらず、また、球排出樋２９や球受皿８が破損するといったこともなく、前板７の開閉が安心して行なえる。更に、切欠凹部４７から押し出された遊技球Ｂ１はそのまま受皿部１６内に残りパチンコ遊技機Ｐの下方へ落下するようなことがない。ところで、前記シャッター板４４の必要最小限の摺動ストロークは、排出口３１から遊技球が零れ落ちなければ良いので、排出口３１を閉じたときシャッター板４４が該排出口３１に遊技球の半径より少し長い寸法、具体的には７〜８ｍｍの寸法臨んで塞いでいる状態であれば良い。
【００３０】
なお、本発明では、縦樋部３０を角筒状として形成したが、円柱状であってもよく、他に多角形状であっても良い。また、球排出樋２９の下流端部に一条の縦樋部３０を設けその下端に排出口３１を開設するようにしたが、例えば、球排出樋２９の排出口３１における前記シャッター板４４が摺動する方向での幅を遊技球の直径寸法にするという条件を満たせば、図９に示すように縦樋部３０が二条でありかつ排出口３１が同時に２個のパチンコ球を排出できる大きさとしても良い。
【００３１】
更に、球排出樋２９の下流端部に必ずしも縦樋部３０を形成する必要は無く、底面に排出口３１が開設されていれば、下流端部がほぼ水平方向を向いていても良い。更にまた、シャッター板４４は前板７裏面に沿って平行に摺動させるようにしたが、該前板７に対して直交する向きに摺動、すなわち受皿部１６の後側から該受皿部１６の上面に沿って前板７側へ摺動するようにしても良く、適宜位置を中心としてシャッター板を水平面内で回動させても良い。
【図面の簡単な説明】
【００３２】
【図１】本発明に係るパチンコ遊技機の正面図。
【図２】同透明板保持枠及び前板を開いた状態の斜視図。
【図３】同背面図。
【図４】要部の側面断面図。
【図５】同背面図。
【図６】同平面図。
【図７】（イ）（ロ）（ハ）は受皿部の回動動作に伴うシャッター板の動作を示す要部の底面断面図。
【図８】（イ）（ロ）（ハ）は受皿部の回動動作に伴うシャッター板の動作を示す要部の背面断面図。
【図９】他の実施の形態に係る要部の底面断面図。
【符号の説明】
【００３３】
１                機枠
２                本体枠
７                前覆枠体（前板）
８                球受皿
１６              受皿部
２８              球払出装置
２９              球排出樋
３１              排出口
４３              弾性部材（圧縮コイルバネ）
４４              シャッター板
４７              切欠凹部
４８              退避スペース
Ｐ                遊技機（パチンコ遊技機）
【図１】
2010017333.tif 000003
【図２】
2010017333.tif 000004
【図３】
2010017333.tif 000005
【図４】
2010017333.tif 000006
【図５】
2010017333.tif 000007
【図６】
2010017333.tif 000008
【図７】
2010017333.tif 000009
【図８】
2010017333.tif 000010
【図９】
2010017333.tif 000011